(57)【要約】【課題】金属光沢が劣化せず、カールが起こることのないラベルを提供する。【解決手段】金属缶に貼着するラベル１００であって、透明プラスチックフィルムからなる基材層１上に透明無機酸化物蒸着層２を設け、透明無機酸化物蒸着層の面に保護層３を設け、保護層の面に印刷インキ層４を設け、更に、蒸着アンカー層５、アルミニウム蒸着層６と、金属缶に接着するための接着剤層７を順次設けた。そして、保護層が、１種以上の金属アルコキシド、あるいは、その加水分解物の少なくともいずれかと、水溶性高分子とを含む水溶液、または、水とアルコールの混合溶液を主剤とするコーティング剤を塗布して、加熱乾燥してなる。【選択図】図１
2014056269.tif 000002
【特許請求の範囲】
【請求項１】
金属缶に接着するラベルであって、
透明プラスチックフィルムからなる基材層上に透明無機酸化物蒸着層を設け、該透明無機酸化物蒸着層の面に保護層を設け、該保護層の面に印刷インキ層を設け、更に、蒸着アンカー層、アルミニウム蒸着層と、前記金属缶に接着するための接着剤層を順次設けたことを特徴とするラベル。
【請求項２】
前記透明無機酸化物蒸着層が、酸化アルミニウム蒸着層または酸化ケイ素蒸着層であることを特徴とする請求項１に記載のラベル。
【請求項３】
前記保護層が、１種以上の金属アルコキシド、あるいは、その加水分解物の少なくともいずれかと、水溶性高分子とを含む水溶液、または、水とアルコールの混合溶液を主剤とするコーティング剤を塗布して、加熱乾燥してなることを特徴とする請求項１または２に記載のラベル。
【請求項４】
前記印刷インキ層が、ウレタン系印刷インキにより設けられていることを特徴とする請求項１から３のいずれか１項に記載のラベル。
【請求項５】
前記蒸着アンカー層が、ウレタン変性共重合ポリエステル樹脂からなることを特徴とする請求項１から４のいずれか１項に記載のラベル。
【発明の詳細な説明】
【技術分野】
【０００１】
本発明は、ラベルに関するものである。特に、金属缶に接着して用いられるラベルに関するものである。
【背景技術】
【０００２】
金属缶の胴部に商品名などの印刷表示は、従来は直接胴部に印刷を行っていたが、胴部の金属表面の粗さなどにより、美粧性のある印刷が行えない。あるいは、小ロットに対応できないなどから、別途印刷したラベルを金属缶の胴部に接着して、印刷表示をすることが行われるようになってきた。
【０００３】
このような金属缶に接着するラベルで、美粧性を高めるために金属光沢を有するラベルがある。このような金属光沢をラベルの求めた場合、金属蒸着フィルムを利用することが、一般的に行われている。
【０００４】
例えば、金属蒸着層を施した合成樹脂表面に商品名、絵柄などの印刷表示を施したラベルがある（特許文献１）。また、合成樹脂表面に商品名、絵柄などの印刷表示を施し、更に、印刷表示面に金属蒸着層を設けたラベルもある。
【０００５】
金属蒸着層に用いられる金属は、一般的に光輝性の高い金属光沢が得られるアルミニウムが使用されているが、このアルミニウム蒸着層は、酸化によって白化しやすく、缶詰は長期保存を前提に考えられているため、問題が生ずる恐れがある。
【０００６】
一方、金属蒸着層を設けた蒸着フィルムと、印刷インキ層を設けたフィルムとを、金属蒸着層と印刷インキ層を対向させて接着して積層したラベルがある（特許文献２）。
【０００７】
このラベルの場合では、金属蒸着層が、蒸着基材フィルムと印刷フィルムで挟まれているので、金属蒸着層がアルミニウム蒸着層であっても、酸化して白化することが防止できる。
【０００８】
このように、２枚のフィルムを貼り合わせるには、ドライラミネーションにより行われるのが一般的であるが、それぞれのフィルムの熱履歴や、貼り合わせ時のテンション（引張張力）の違いにより、出来上がったラベルにカール（平坦で無く、曲面になること）が発生してしまうことが多い。カールが発生したラベルは、接着装置へ1枚ずつ供給する供給装置でトラブルが発生してしまい、接着できなくなってしまう。
【０００９】
公知文献を以下に示す。
【先行技術文献】
【特許文献】
【００１０】
【特許文献１】実開平６−６７３１２号公報
【特許文献２】特開２００８−１５５９６５号公報
【発明の概要】
【発明が解決しようとする課題】
【００１１】
本発明は上記のような事情に鑑みてなされたもので、金属光沢が劣化せず、カールが起こることのないラベルを提供することを課題としている。
【課題を解決するための手段】
【００１２】
本発明は係る課題に鑑みなされたものであり、請求項１の発明は、金属缶に接着するラベルであって、
透明プラスチックフィルムからなる基材層上に透明無機酸化物蒸着層を設け、該透明無機酸化物蒸着層の面に保護層を設け、該保護層の面に印刷インキ層を設け、更に、蒸着アンカー層、アルミニウム蒸着層と、前記金属缶に接着するための接着剤層を順次設けたことを特徴とするラベルである。
【００１３】
本発明の請求項２の発明は、前記透明無機酸化物蒸着層が、酸化アルミニウム蒸着層または酸化ケイ素蒸着層であることを特徴とする請求項１に記載のラベルである。
【００１４】
本発明の請求項３の発明は、前記保護層が、１種以上の金属アルコキシド、あるいは、その加水分解物の少なくともいずれかと、水溶性高分子とを含む水溶液、または、水とアルコールの混合溶液を主剤とするコーティング剤を塗布して、加熱乾燥してなることを特徴とする請求項１または２に記載のラベルである。
【００１５】
本発明の請求項４の発明は、前記印刷インキ層が、ウレタン系印刷インキにより設けられていることを特徴とする請求項１から３のいずれか１項に記載のラベルである。
【００１６】
本発明の請求項５の発明は、前記蒸着アンカー層が、ウレタン変性共重合ポリエステル樹脂からなることを特徴とする請求項１から４のいずれか１項に記載のラベルである。
【発明の効果】
【００１７】
本発明のラベルは、金属光沢を有して美粧性が高く、白化しやすいアルミニウム蒸着層が、酸素バリア性の高い透明無機酸化物蒸着層と金属缶の金属に挟まれているので、酸化されることが無く、長期に保存されても金属光沢が劣化しない。また、フィルムは１枚しか用いていないので、製造上でカールが起こることがなく、金属缶への接着工程でトラブルが起きることがない。
【図面の簡単な説明】
【００１８】
【図１】本発明のラベルの一例を模式的に断面で示した説明図である。
【発明を実施するための形態】
【００１９】
以下、本発明を実施するための形態につき説明する。
図１は、本発明のラベルの一例を模式的に断面で示した説明図である。
【００２０】
本例のラベル１００は、図１の断面図に示すように、基材層１の片面に、透明無機酸化物蒸着層２、保護層３、印刷インキ層４、蒸着アンカー層５、アルミニウム蒸着層６、接着剤層７を順次設けた積層体からなっている。
【００２１】
基材層１は、透明プラスチックフィルムからなっていて、ポリエチレンテレフタレートやナイロン、ポリプロピレンなどの二軸延伸フィルムが用いられている。特に、耐熱性と、機械的強度の点からポリエチレンテレフタレートの二軸延伸フィルムが好ましく用いられる。基材層１の厚さは、７から２５μｍが好ましい。
【００２２】
透明無機酸化物蒸着層２は、基材層１に蒸着によって設けられる層で、無機酸化物を蒸着してなる透明な層である。蒸着する無機酸化物としては、蒸着膜の透明性やガスバリア性の点から、酸化アルミニウムや酸化ケイ素が好ましく用いられる。
【００２３】
透明無機酸化物蒸着層２の厚さは、５〜３００ｎｍが好ましい。５ｎｍ未満では薄膜の
連続性に問題があり、また３００ｎｍを越えるとクラックが発生しやすく、可撓性が低下する。
【００２４】
蒸着方式には、特にこだわらないが、高速でできること、コストが安いことから、真空蒸着法が好ましく用いられる。真空蒸着装置内での蒸発源材料の加熱手段としては電子線加熱方式や抵抗加熱方式、誘導加熱方式等が好ましい。
【００２５】
また、基材層との密着性を向上させるために、プラズマアシスト法やイオンビームアシスト法を用いることも可能である。さらに、蒸着薄膜層の透明性を上げるために蒸着の際に酸素ガスなど吹き込んだりする反応性蒸着を行っても一向に構わない。
【００２６】
保護層３は、透明無機酸化物蒸着層２を保護すると同時に、ガスバリア性を更に高めるために設けられる層で、透明無機酸化物蒸着層２の表面にコーティングにより設けられている。保護層３の厚さは、０．０１から５０μｍの範囲で設ける。厚すぎるとクラックが生じやすくなり、薄すぎると透明無機酸化物蒸着層２の全面を覆うことができず欠損部を生じる恐れがある。
【００２７】
コーティング剤は、１種以上の金属アルコキシド、あるいは、その加水分解物の少なくともいずれかと、水溶性高分子とを含む水溶液、または、水とアルコールの混合溶液を主剤としたものが好ましく用いられる。
【００２８】
水、または、水とアルコールの混合液中で、金属アルコキシドに触媒を加えて、加水分解させながら、水溶性高分子と混合してコーティング剤を作成することができる。金属アルコキシドとしては、テトラエトキシシランやトリイソプロポキシアルミニウムなどが用いられる。特に、テトラエトキシシランが好ましく用いられる。
【００２９】
また、水溶性高分子としては、ポリビニルアルコール、ポリビニルピロリドン、デンプン、メチルセルロース、カルボキシメチルセルロース、アルギン酸ナトリウムなどが挙げられる。特に、ポリビニルアルコールが好ましく用いられる。
【００３０】
印刷インキ層４は、商品名、絵柄などの印刷表示を行う層である。印刷インキ層４に用いるインキは、耐熱性や密着性の点から、ウレタン系の印刷インキが好ましく用いられる。印刷方式としては特に限定されないが、グラビア印刷が好ましく用いられる。
【００３１】
尚、印刷インキを施さない部分や、透明インキを用いた部分を設けて、下層にあるアルミニウム蒸着層の光沢が見えるようにしてある。これによって光沢のあるラベルとすることができる。
【００３２】
蒸着アンカー層５は、アルミニウム蒸着層６の密着を高めるためのものである。蒸着アンカー層５には、ウレタン変性共重合ポリエステル樹脂をアンカーコート剤として用いることが出来る。
【００３３】
ウレタン変性共重合ポリエステル樹脂を用いることによって、アルミニウム蒸着層６の密着を高めるのみならず、耐熱性、耐水性を有するため、アルミニウム蒸着層６の白化防止にも効果を有する。ウレタン変性共重合ポリエステル樹脂としては、例えば、東洋紡績株式会社のバイロン（登録商標）を用いることが出来る。
【００３４】
アルミニウム蒸着層６は、アルミニウムを蒸着させて、蒸着アンカー層５の面に設けられる層であって、ラベルに金属光沢を与える。金属光沢を与えるために、アルミニウム蒸着層６の厚さは、１０ｎｍ以上であることが好ましい。蒸着方式には、特にこだわらない
が、高速でできること、コストが安いことから、真空蒸着法が好ましく用いられる。
【００３５】
接着剤層７は、金属缶に接着するための層である。接着剤としては、通常用いられている接着剤が使用できる。特にポリエステル系の熱接着型接着剤が好ましく用いられる。このような接着剤を用いて、ラベルを金属缶の胴部に巻きつけながら加熱圧着して接着させることができる。
【００３６】
以下、本例のラベル１００の製造方法について説明する。
【００３７】
先ず、基材層１となる透明プラスチックフィルムを用意し、その片面に真空蒸着法により、酸化アルミニウムや酸化ケイ素などの無機酸化物を蒸着し、透明無機酸化物蒸着層２を設ける。
【００３８】
別途、保護層３に用いるコーティング剤を用意する。水溶性高分子と塩化錫を水系（水、あるいは、水とアルコール混合）溶媒で溶解させた溶液に、金属アルコキシドを直接、または、予め加水分解させたものを混合して、コーティング剤を作成する。
【００３９】
このコーティング剤を、基材層１に蒸着して設けた透明無機酸化物蒸着層２の面に、塗布し乾燥させ保護層３を設ける。コーティング剤の塗布方法には、通常用いられる、ディッピング法、ロールコーティング法、スクリーン印刷法、スプレー法など従来公知の手段が用いられる。
【００４０】
次に、この保護層３の面に、商品名や絵柄などを表示する印刷インキ層４を設ける。印刷方式としては特に限定されないが、プラスチックを基材とした長尺のフィルムであるので、グラビア印刷が好ましく用いられる。また、インキは、耐熱性や密着性の点から、ウレタン系の印刷インキが好ましく用いられる。
【００４１】
更に、この印刷インキ層４の面に、蒸着アンカー層５を塗布乾燥して設ける。塗布方法は、ディッピング法、ロールコーティング法、スクリーン印刷法、スプレー法などで設けることができるが、印刷機の印刷インキ層４を設けた後の印刷ユニットで同時にグラビアコーティングして設けることもできる。
【００４２】
そして、この蒸着アンカー層５の面に、真空蒸着法などで、アルミニウムを蒸着させ、アルミニウム蒸着層６を設ける。このアルミニウム蒸着層６によりラベルに金属光沢を与える。
【００４３】
アルミニウム蒸着層６の面に金属缶と接着するための接着剤を塗布し、接着層７を設ける。これにより、本例のラベル１００の巻取りが製造される。
【００４４】
このラベル１００の巻取りから、断裁あるいは打ち抜いて１枚のラベル１００にして、金属缶に加熱押圧して接着する。これにより、金属缶に接着したラベルは、アルミニウム蒸着層６が、透明無機酸化物蒸着層２および保護層３と、金属缶との間に挟まれるので、酸素と触れることが無く、酸化して白化することがない。
【００４５】
尚、長尺の巻き取りの状態のときに、接着層７を設けずに、金属缶に接着するときに、接着層７を設けてもよい。この場合は、アルミニウム蒸着層６がむき出しになると急送に酸化してしまうので、保護ワニスをアルミニウム蒸着層６の面に塗布しておく。
【００４６】
以上のように、本発明のラベルは、アルミニウム蒸着層６により、金属光沢を有して美粧性が高い。そして、金属缶に接着すると、白化しやすいアルミニウム蒸着層が、酸素バ
リア性の高い透明無機酸化物蒸着層および保護層と、金属缶の金属とに挟まれるので、酸化されることが無く、長期に保存されても金属光沢が劣化しない。また、フィルムは１枚しか用いていなくて貼り合わせることがないので、製造上でカールが起こることがなく、金属缶への接着工程でトラブルが起きることがない。
【符号の説明】
【００４７】
１００・・・ラベル
１・・・基材層
２・・・透明無機酸化物蒸着層
３・・・保護層
４・・・印刷インキ層
５・・・蒸着アンカー層
６・・・アルミニウム蒸着層
７・・・接着剤層
【図１】
2014056269.tif 000003